【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
それぞれが利用可能な無線リソースを使用して移動ユーザ装置とワイヤレス通信する１つまたはそれより多い第１のエンティティと、前記１つまたはそれより多い第１のエンティティの各々にとって利用可能な無線リソースを決定する第２のエンティティとを含む無線アクセスネットワークを含むパケット交換ネットワークにおいて、パケットアップリンクのスケジューリングを行う方法であって、
前記方法は、前記１つまたはそれより多い第１のエンティティのうちの１つまたはそれより多くに対して移動ユーザ装置がパケットを通信する際に使用するアップリンクレートを制御する際に用いられるものであり、かつ、前記方法は、レート制御信号によって制限されたアップリンクレートで移動ユーザ装置がパケットを通信するステップを含む方法において、
前記第１のエンティティのうちの少なくとも１つが、前記第１のエンティティが利用可能な１つまたはそれより多いパラメータに基づいてアップリンクレートを設定する１つまたはそれより多い制限を独立して決定し、前記制限に関する情報を伝えるために前記レート制御信号を決定し、前記レート制御信号を前記移動ユーザ装置へ伝送することを特徴とする方法。
【請求項２】
前記レート制御信号を利用して、前記移動ユーザ装置がアップリンクレートを選択する源となる或る範囲のまたは１組のアップリンクレートにおける最大アップリンクレートを調整するように前記移動ユーザ装置に命令する請求項１に記載の方法。
【請求項３】
前記レート制御信号を用いて前記アップリンクレートを調整するように前記移動ユーザ装置に命令する請求項１に記載の方法。
【請求項４】
前記レート制御信号が前記アップリンクレートに対応する相対的調整である請求項１に記載の方法。
【請求項５】
前記第２のエンティティが、前記無線アクセスネットワークの接続管理および保守管理を行い、前記移動ユーザ装置が前記第１のエンティティにパケットをアップリンクするときの前記アップリンクレートについての１つまたはそれより多い制限を制御する役割を果たす前記接続管理および保守管理の部分を前記第１のエンティティに委任する請求項１に記載の方法。
【請求項６】
１つまたはそれより多い制限が基づくことになるパラメータが、前記第１のエンティティが受信した前記移動ユーザ装置の信号の品質測定値に対応する少なくとも１つもしくはそれより多いパラメータ、または、前記第２のエンティティに割り当てられたデータレートの範囲に対応する少なくとも１つもしくはそれより多いパラメータ、を含むことをさらに特徴とする請求項１に記載の方法。
【請求項７】
専用物理チャネル（ＤＬ  ＤＰＣＨ）を介して、１または２以上の通信している所定のタイムスロットに前記レート制御信号を１または２以上のビットとして受信することをさらに特徴とする請求項１に記載の方法。
【請求項８】
専用物理チャネル（関連するＤＬ  ＤＰＣＨ）を介して１または２以上の伝送済みの所定のタイムスロット内の所定の位置でシンボルを置換して前記レート制御信号を伝送することをさらに特徴とする請求項１に記載の方法。
【請求項９】
前記レート制御信号を受信するとき、該レート制御信号が０よって置き換えられ、誤り訂正を用いることにより、前記移動ユーザ装置での復号化処理時に、前記レート制御信号を伝送する置換された形のシンボルの回復を行うことをさらに特徴とする請求項８に記載の方法。
【請求項１０】
前記移動ユーザ装置から受信したレート変更要求信号に対する応答として前記レート制御信号を送る請求項１に記載の方法。
【請求項１１】
アップリンク確認応答チャネル（ＨＳ−ＤＰＣＣＨ）で前記レート変更要求信号を伝送することをさらに特徴とする請求項１０に記載の方法。
【請求項１２】
前記アップリンク確認応答チャネル（ＨＳ−ＤＰＣＣＨ）の所定のタイムスロット内の所定の位置におけるビットとして前記レート変更要求信号を伝送し、高レベルのシグナリングを用いて前記第１のエンティティにより構成可能な周波数で前記レート変更要求信号（ＲＲ）を伝送することをさらに特徴とする請求項１１に記載の方法。
【請求項１３】
前記レート変更要求信号が、前記移動ユーザ装置に対して許される最大許容データレートの調整要求である請求項１０に記載の方法。
【請求項１４】
前記レート変更要求信号が、前記移動ユーザ装置に対して許される前記最大許容データレートの所定のさらに高い値に対する相対的調整要求である請求項１３に記載の方法。
【請求項１５】
前記レート変更要求信号が、前記移動ユーザ装置に対して許される前記最大許容データレートのより高い値またはより低い値のいずれかの値に対する相対的調整要求である請求項１３に記載の方法。
【請求項１６】
それぞれが第２のエンティティの制御の下で無線リソースを有する複数の第１のエンティティを含む無線アクセスネットワークとワイヤレス通信するように構成された移動ユーザ装置であって、
前記移動ユーザ装置は、前記第１のエンティティのうちの１つまたはそれより多くとパケットを通信する手段と、レート制御信号を受信する手段とを備える移動ユーザ装置において、
前記レート制御信号は、１つまたはそれより多い所定のタイムスロット内の所定位置でシンボルを置換して専用物理チャネル（関連するＤＬ  ＤＰＣＨ）を介して送信され、前記移動ユーザ装置における復号化処理時に、再送信を含まない誤り訂正を使って、送信された前記レート制御信号を置換して前記シンボルを回復する移動ユーザ装置。
【請求項１７】
無線アクセスネットワークの第１のエンティティであって、
前記第１のエンティティは、利用可能な無線リソースを使用して移動ユーザ装置とワイヤレス通信し、前記無線アクセスネットワークは、前記第１のエンティティにとって利用可能な無線リソースを決定する第２のエンティティを含み、前記第１のエンティティは、前記無線アクセスネットワークに含まれる他の第１のエンティティのためにそれぞれの無線リソースを決定し、前記第１のエンティティは、前記第１のエンティティに対して移動ユーザ装置がパケットを通信する際に使用するアップリンクレートを制御する手段を備える第１のエンティティにおいて、
前記第１のエンティティが、前記第１のエンティティが利用可能な１つまたはそれより多いパラメータに基づいてアップリンクレートを設定する１つまたはそれより多い制限を決定する手段と、前記制限に関する情報を伝えるために前記レート制御信号を決定する手段と、前記レート制御信号を前記移動ユーザ装置へ伝送する手段とを含むことを特徴とする第１のエンティティ。
【請求項１８】
ユーザ移動装置と、
少なくとも１つが請求項１７に記載の第１のエンティティである複数の第１のエンティティと、各前記第１のエンティティにとってそれぞれ利用可能な各無線リソースを制御する第２のエンティティと、を含む無線アクセスネットワークと、
を含むことを特徴とするシステム。
【手続補正２】
【補正対象書類名】明細書
【補正対象項目名】０００３
【補正方法】変更
【補正の内容】
【０００３】
従来技術によれば、高速下り方向パケットアクセス（ＨＳＤＰＡ）を行うための無線アクセスネットワーク（ＲＡＮ）用ワイヤレス端末装置によるアップリンク時のシグナリングは、例えば、ＨＡＲＱ（ハイブリッド自動再送要求）関連情報と、チャネル品質フィードバック情報とを伝えるものである。ＵＴＲＡＮのリリース９９では、ＵＥと無線アクセスネットワーク（ＲＡＮ）間でのすべての信号伝送は、（ＷＣＤＭＡプロトコルスタックの層３内の）無線リソース制御（ＲＲＣ）プロトコルレベルで行われ、ＳＲＮＣなどのＵＥにサービスを提供している無線ネットワーク制御装置（ＲＮＣ）で（アップリンクで）終端する。トランスポートフォーマット組合せ制御（ＴＦＣＣ）メッセージを用いてＵＥ伝送（すなわちアップリンク）のスケジューリングを行うことができる。該メッセージは、構成を設定するレートおよびその他のパラメータを示すことが可能であり、ＲＲＣプロトコルによりシグナリングされるものである。すぐに効果を得るための明白な時間参照を行うことなくこのようなＴＦＣＣメッセージを送ることができる。あるいは、代わりに、メッセージに指示されている構成のための明白な起動時間が含まれていてもよい。双方のケースで、ＵＥ（すなわちＳＲＮＣ）にサービスを提供しているＲＮＣによりメッセージの発信が行われる。